(57)【要約】【課題】ユーザが現在所望しそうなコンテンツを推奨できる推奨コンテンツ通知システムを提供する。【解決手段】推奨コンテンツ通知システム１０では、ユーザＡの携帯電話機１１は、直近の所定期間に、ユーザＢの携帯電話機１２との間で通話された音声データを取得し、取得した直近通信情報を特徴付ける特徴語を抽出する。コンテンツ提示装置１５は、抽出された特徴語に適合するコンテンツを決定し、決定したコンテンツをユーザＡに通知する。【選択図】図１
2014006669.tif 000002
【特許請求の範囲】
【請求項１】
ユーザに推奨するコンテンツを通知する推奨コンテンツ通知システムであって、
直近の所定期間に前記ユーザの通信装置と他の通信装置との間で通信された内容を示す直近通信情報を取得する取得手段と、
該取得手段が取得した直近通信情報を特徴付ける特徴語を当該直近通信情報から抽出する抽出手段と、
該抽出手段が抽出した特徴語に適合するコンテンツを決定する決定手段と、
該決定手段が決定したコンテンツを前記ユーザに通知する通知手段とを備えることを特徴とする推奨コンテンツ通知システム。
【請求項２】
前記直近通信情報は、前記ユーザの通信装置と前記他の通信装置との間の通話内容を音声認識によりテキストデータに変換したものであることを特徴とする請求項１に記載の推奨コンテンツ通知システム。
【請求項３】
前記直近通信情報は、前記ユーザの通信装置と、前記他の通信装置であるサーバとの間で通信されたテキストデータであることを特徴とする請求項１に記載の推奨コンテンツ通知システム。
【請求項４】
前記決定手段は、前記抽出手段が抽出した特徴語のうち、頻度の高い特徴語を選択し、選択された特徴語に適合するコンテンツを決定することを特徴とする請求項１から３までの何れか１項に記載の推奨コンテンツ通知システム。
【請求項５】
前記ユーザの状態を検知する検知手段をさらに備えており、
前記通知手段は、前記検知手段が検知した前記ユーザの状態に基づいて、通知の内容を変更することを特徴とする請求項１から４までの何れか１項に記載の推奨コンテンツ通知システム。
【請求項６】
請求項１から５までの何れか１項に記載の推奨コンテンツ通知システムを動作させるための制御プログラムであって、コンピュータを上記の各手段として機能させるための制御プログラム。
【請求項７】
請求項６に記載の制御プログラムが記録されたコンピュータ読取り可能な記録媒体。
【請求項８】
ユーザに推奨するコンテンツを通知する推奨コンテンツ通知システムの制御方法であって、
直近の所定期間に前記ユーザの通信装置と他の通信装置との間で通信された内容を示す直近通信情報を取得する取得ステップと、
該取得ステップにて取得された直近通信情報を特徴付ける特徴語を当該直近通信情報から抽出する抽出ステップと、
該抽出ステップにて抽出された特徴語に適合するコンテンツを決定する決定ステップと、
該決定ステップにて決定されたコンテンツを前記ユーザに通知する通知ステップとを含むことを特徴とする推奨コンテンツ通知システムの制御方法。
【発明の詳細な説明】
【技術分野】
【０００１】
本発明は、ユーザに推奨するコンテンツを通知する推奨コンテンツ通知システム、その制御方法および制御プログラム、ならびに記録媒体にに関するものである。
【背景技術】
【０００２】
近年、ＴＶ（テレビジョン）放送の多チャンネル化、ＤＶＤ（Digital Versatile Disk）、ＢＤ（Blu-Ray（登録商標） Disc）などのパッケージ型映像コンテンツの販売量の増加、インターネット上でのストリーミング型の映像配信の普及などにより、ユーザは非常に多くの映像コンテンツにアクセスできる状態にある。
【０００３】
また、ＤＶＤレコーダ、ＨＤＤ（Hard Disk Drive）レコーダ等の普及により、視聴するかどうか未定な番組もとりあえず録画しておいて、後から空いた時間に視聴するという視聴スタイルが一般化してきている。
【０００４】
しかしながら、ユーザがコンテンツの視聴に割ける時間は限られており、録画したものの視聴されることなく消去されてしまうコンテンツも多い。このため、ユーザの趣味・嗜好に合致するコンテンツ、ユーザが興味を有するコンテンツなど、ユーザが視聴を所望しそうなコンテンツを推奨する装置が望まれている。
【０００５】
例えば、特許文献１に記載のメタ情報サービスシステムでは、メタ情報提供サービス装置は、複数の放送チャンネルの放送番組に関連する、趣向が異なるメタ情報を複数作成して、該放送番組の分野を興味分野として登録している、趣向が一致または類似するユーザの端末に配信する。該ユーザの端末は、受信したメタ情報に基づいてＴＶ受信機の制御情報を推定または抽出し、該制御情報に基づいて上記ＴＶ受信機を制御する。これにより、ユーザは、興味がある番組が放送されていること自体を知らなくても、当該番組を視聴することができる。
【０００６】
しかしながら、特許文献１に記載のメタ情報サービスシステムの場合、オペレータが端末にて投稿情報を手動で作成してメタ情報提供サービス装置に送信し、メタ情報提供サービス装置は、受信した投稿情報に、上記放送番組を関連付けて上記メタ情報を作成している。このため、人による労力と時間とがかかることになる。
【０００７】
これに対し、特許文献２に記載のコンテンツ再生装置は、ユーザが属するコミュニティを識別し、識別したコミュニティと映像コンテンツとに関連付けて、コンテンツ視聴の嗜好を表すメタデータを生成している。これにより、上記メタデータを、所定のグループではなく、かつユーザに複雑な入力処理なしに生成することができる。なお、上記ユーザが属するコミュニティは、ユーザが加入しているＳＮＳ（Social Network Service）で形成されたコミュニティに基づいて特定したり、ユーザが所持している携帯電話機の電話帳に登録されたグループに基づいて特定したりすることができる。
【先行技術文献】
【特許文献】
【０００８】
【特許文献１】特開２０１０−１４７５０７号公報（２０１０年０７月０１日公開）
【特許文献２】特開２００４−１５９０４０号公報（２００４年０６月０３日公開）
【発明の概要】
【発明が解決しようとする課題】
【０００９】
しかしながら、ユーザは、現在の心境によって、視聴を所望するコンテンツが変化することがある。このため、過去に登録したコミュニティ、または、過去に作成した電話帳のグループに基づき推奨されるコンテンツと、現在、ユーザが視聴を所望するコンテンツとが一致するとは限らない。
【００１０】
本発明は、上記の問題点に鑑みてなされたものであり、その目的は、ユーザが現在所望しそうなコンテンツを推奨できる推奨コンテンツ通知システムなどを提供することにある。
【課題を解決するための手段】
【００１１】
通話内容、ブログへの投稿など、ユーザがやりとりした情報には、該ユーザが興味を示している対象を表す言葉が含まれていると考えられる。
【００１２】
そこで、本発明に係る推奨コンテンツ通知システムは、ユーザに推奨するコンテンツを通知する推奨コンテンツ通知システムであって、上記課題を解決するために、直近の所定期間に前記ユーザの通信装置と他の通信装置との間で通信された内容を示す直近通信情報を取得する取得手段と、該取得手段が取得した直近通信情報を特徴付ける特徴語を当該直近通信情報から抽出する抽出手段と、該抽出手段が抽出した特徴語に適合するコンテンツを決定する決定手段と、該決定手段が決定したコンテンツを前記ユーザに通知する通知手段とを備えることを特徴としている。
【００１３】
また、本発明に係る推奨コンテンツ通知システムの制御方法は、ユーザに推奨するコンテンツを通知する推奨コンテンツ通知システムの制御方法であって、上記課題を解決するために、直近の所定期間に前記ユーザの通信装置と他の通信装置との間で通信された内容を示す直近通信情報を取得する取得ステップと、該取得ステップにて取得された直近通信情報を特徴付ける特徴語を当該直近通信情報から抽出する抽出ステップと、該抽出ステップにて抽出された特徴語に適合するコンテンツを決定する決定ステップと、該決定ステップにて決定されたコンテンツを前記ユーザに通知する通知ステップとを含むことを特徴としている。
【００１４】
上記の構成および方法によると、直近の所定期間にユーザの通信装置と他の通信装置との間でやりとりされた情報の内容から、該内容を特徴付ける特徴語が抽出され、抽出された特徴語に適合するコンテンツが決定されて、ユーザに通知される。上記特徴語は、上記ユーザが直近に興味を示している対象を表す言葉に対応すると考えられる。従って、本発明によると、上記ユーザの直近の興味に適合するコンテンツを当該ユーザに通知するので、当該ユーザが現在所望しそうなコンテンツを推奨することができる。
【００１５】
なお、前記直近通信情報は、前記ユーザの通信装置と前記他の通信装置との間の通話内容を音声認識によりテキストデータに変換したものであってもよい。この場合、通話から推奨コンテンツを通知することができる。
【００１６】
また、前記直近通信情報は、前記ユーザの通信装置と、前記他の通信装置であるサーバとの間で通信されたテキストデータであってもよい。この場合、上記ユーザの通信装置と上記サーバとのやりとりから、推奨コンテンツを通知することができる。
【００１７】
また、前記決定手段は、前記抽出手段が抽出した特徴語のうち、頻度の高い特徴語を選択し、選択された特徴語に適合するコンテンツを決定することが好ましい。この場合、ユーザが現在所望しそうなコンテンツを、より精度よく推奨することができる。
【００１８】
本発明に係る推奨コンテンツ通知システムでは、前記ユーザの状態を検知する検知手段をさらに備えており、前記通知手段は、前記検知手段が検知した前記ユーザの状態に基づいて、通知の内容を変更することが好ましい。この場合、ユーザが現在所望しそうなコンテンツを、前記ユーザの状態に基づいて通知することができるので、ユーザの利便性が向上する。
【００１９】
なお、上記推奨コンテンツ通知システムの各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【発明の効果】
【００２０】
以上より、本発明に係る推奨コンテンツ通知システムは、直近の所定期間にユーザの通信装置と他の通信装置との間でやりとりされた情報の内容から、該内容を特徴付ける特徴語が抽出され、抽出された特徴語に適合するコンテンツが決定されて、ユーザに通知されるので、上記ユーザが現在所望しそうなコンテンツを推奨することができるという効果を奏する。
【図面の簡単な説明】
【００２１】
【図１】本発明の一実施形態である推奨コンテンツ通知システムの概略構成を示すブロック図である。
【図２】上記推奨コンテンツ通知システムにおけるユーザの携帯電話機の概略構成を示すブロック図である。
【図３】上記携帯電話機における興味情報作成部が作成した興味データの一例を表形式で示す図である。
【図４】上記推奨コンテンツ通知システムにおけるコンテンツ提示装置の概略構成を示すブロック図である。
【図５】上記コンテンツ提示装置における関連情報記憶部に記憶される関連情報の一例を表形式で示す図である。
【図６】上記コンテンツ提示装置におけるマッチング分析部が作成した、一致度の高いコンテンツのリストの一例を表形式で示す図である。
【図７】上記携帯電話機および上記コンテンツ提示装置の処理の流れを示すフローチャートである。
【図８】本発明の他の実施形態である推奨コンテンツ通知システムの概略構成を示すブロック図である。
【図９】上記推奨コンテンツ通知システムにおけるユーザの通信端末の概略構成を示すブロック図である。
【図１０】上記ユーザの現在の状態と、該状態に対する上記コンテンツ提示装置の結果動作との対応関係の一例を表形式で示す図である。
【発明を実施するための形態】
【００２２】
〔実施の形態１〕
本発明の一実施形態について、図１〜図７を参照して説明する。図１は、本実施形態である推奨コンテンツ通知システムの概略構成を示すブロック図である。図示のように、推奨コンテンツ通知システム１０は、複数の携帯電話機１１・１２、基地局１３、通信網１４、コンテンツ提示装置１５、１または複数の放送局１６、コンテンツサーバ１７、および通信網１８を備える構成である。
【００２３】
携帯電話機１１・１２どうしは、基地局１３および通信網１４を介して通信可能なように接続されると共に、ユーザＡの携帯電話機１１はコンテンツ提示装置１５と通信可能なように接続されている。コンテンツは、放送局１６から放送波を介して放送され、コンテンツサーバ１７から通信網１８を介してＩＰ（Internet Protocol）放送される。放送されたコンテンツは、コンテンツ提示装置１５にて提示され、ユーザＡによって参照される。
【００２４】
本実施形態の推奨コンテンツ通知システム１０では、ユーザＡの携帯電話機（ユーザの通信装置）１１は、ユーザＢの携帯電話機（他の通信装置）１２との通話内容（直近通信情報）から、該通話内容を特徴付ける特徴語を抽出し、コンテンツ提示装置１５は、抽出された特徴語に適合するコンテンツを決定し、推奨コンテンツとしてユーザＡに通知している。上記特徴語は、ユーザＡが直近に興味を示している対象を表す言葉に対応すると考えられる。従って、ユーザＡの直近の興味に適合するコンテンツをユーザＡに通知するので、ユーザＡが現在所望しそうなコンテンツを推奨することができる。
【００２５】
次に、推奨コンテンツ通知システム１０における各構成について説明する。なお、基地局１３、放送局１６、およびコンテンツサーバ１７は、周知であるので、その説明を省略する。
【００２６】
携帯電話機１１・１２は、無線を利用した移動可能な電話機である。具体的には、携帯電話機１１・１２は、基地局１３および通信網１４を介して、互いに通話を行うものであり、基地局１３との通信が無線で行われるため、携帯電話機１１・１２を移動して利用することができる。なお、携帯電話機１１・１２には、ＰＨＳ（Personal Handyphone System）端末および自動車電話機も含まれる。
【００２７】
通信網１４としては、移動体通信網を利用することが望ましいが、電話回線網、インターネット、ＬＡＮ（Local Area Network）など、他の公知の通信網を利用することができる。また、通信網１８としては、インターネットを利用することが望ましいが、他の公知の通信網を利用することができる。また、図１では、説明の便宜上、通信網１４・１８を別々の構成として記載しているが、同一の構成であってもよい。
【００２８】
コンテンツ提示装置１５は、放送局１６および／またはコンテンツサーバ１７から各種のコンテンツを受信し、受信したコンテンツをユーザＡに提示するものである。コンテンツ提示装置１５の例としては、ＴＶ受像機が挙げられる。なお、本実施形態では、コンテンツは、映像および音声を含む動画であるが、これに限定されない。映像のみ、音声のみ、電子書籍など、その他のコンテンツを利用してもよい。
【００２９】
本実施形態では、ユーザＡの携帯電話機１１とコンテンツ提示装置１５とは、近距離無線通信機能を有している。近距離無線通信の例としては、ブルートゥース（Bluetooth（登録商標））、ジグビー（ZigBee（登録商標））、ＵＷＢ（Ultra WideBand）、無線ＬＡＮ（ＩＥＥＥ８０２．１１）などが挙げられる。また、データ伝送媒体の例としては、光、電波などが挙げられる。しかしながら、赤外線などの光を利用する場合、照射方向を送信先の受光部に合わせる必要があるので、データ伝送媒体としては電波が望ましい。
【００３０】
一般に、部屋でコンテンツを視聴するユーザＡは、コンテンツ提示装置１５から２〜４ｍ離れた位置でコンテンツを視聴する。したがって、本実施形態では、ユーザＡの携帯電話機１１とコンテンツ提示装置１５との近距離無線通信は、通信可能範囲が約５ｍであることが望ましい。
【００３１】
次に、ユーザＡの携帯電話機１１およびコンテンツ提示装置１５の詳細について説明する。なお、ユーザＢの携帯電話機１２は、一般的な携帯電話機と同様の構成であるので、その説明を省略する。
【００３２】
図２は、ユーザＡの携帯電話機１１の概略構成を示すブロック図である。図示のように、携帯電話機１１は、制御部２０、記憶部２１、携帯電話網通信用アンテナ部２２、携帯電話網通信部２３、音声処理部２４、音声入力部２５、音声出力部２６、操作部２７、表示部２８、近距離無線通信用アンテナ部２９、近距離無線通信部３０、およびカレンダクロック３１を備える構成である。
【００３３】
制御部２０は、携帯電話機１１内の各種構成を統括的に制御するものである。制御部２０の機能は、例えばＲＡＭ（Random Access Memory）やフラッシュメモリなどの記憶素子に記憶されたプログラムをＣＰＵ（Central Processing Unit）が実行することによって実現される。なお、制御部２０の詳細については後述する。
【００３４】
記憶部２１は、各種データおよびプログラムを記憶するものである。記憶部２１の例としては、制御部２０が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データ、電子メールデータなどを記憶する書換え可能な不揮発性メモリ（例えばフラッシュメモリ）とが挙げられる。なお、記憶部２１の詳細については後述する。
【００３５】
携帯電話網通信用アンテナ部２２は、電波を外部に送り出すとともに外部から電波を受け取るためのものである。具体的には、携帯電話網通信用アンテナ部２２は、１．５ＧＨｚ帯などの携帯電話用電波を送受するためのものである。
【００３６】
携帯電話網通信部２３は、制御部２０または音声処理部２４から受信したデータを、基地局１３（図１参照）への無線送信に適した形式に変換し、変換した無線信号を携帯電話網通信用アンテナ部２２を介して外部に送信するものである。また、携帯電話網通信部２３は、外部から携帯電話網通信用アンテナ部２２を介して受信した無線信号を元の形式に変換し、変換したデータを制御部２０または音声処理部２４に送信するものである。さらに、携帯電話網通信部２３は、他の電話機と通話するための回線接続処理および回線切断処理を行うものである。具体的には、携帯電話網通信部２３では、チャネルコーデック処理、ベースバンド信号処理、データの変復調処理、ＲＦ（Radio Frequency）処理などが行われる。
【００３７】
音声処理部２４は、音声入力部２５からの音声信号を所定の音声データに変換して携帯電話網通信部２３に送信するとともに、携帯電話網通信部２３からの音声データを音声信号に変換して音声出力部２６に送信するものである。具体的には、音声処理部２４は、Ａ／Ｄ変換器、Ｄ／Ａ変換器、アンプ、音声コーデック回路などを備える構成である。
【００３８】
音声入力部２５は、外部から入力された音波を、電気信号である音声信号に変換して音声処理部２４に送信するものである。具体的には、音声入力部２５はマイクロホンを備える構成である。
【００３９】
音声出力部２６は、音声処理部２４からの音声信号を音波に変換して外部に出力するものである。具体的には、音声出力部２６は、レシーバ、スピーカ、音声出力用コネクタなどを備える構成である。通常、携帯電話機１１では、通話を行う場合にはレシーバが利用され、着信の報知やテレビ電話を行う場合にはスピーカが利用される。また、音楽を聴く場合には、周囲の人々に配慮して、音声出力用コネクタにヘッドホンが接続される。
【００４０】
なお、電話機の場合、音声入力部２５に入力するユーザの音声が音声出力部２６から聞こえることが望ましい。このため、音声処理部２４は、音声入力部２５からの音声信号を所定の音量レベルに調整した後、音声出力部２６に送信することが望ましい。
【００４１】
操作部２７は、携帯電話機１１の表面に設けられた操作ボタンなどの入力デバイスをユーザが操作することにより、操作データを作成して制御部２０に送信するものである。入力デバイスの例としては、ボタンスイッチの他にタッチパネルなどが挙げられる。
【００４２】
表示部２８は、制御部２０から画像データを受信し、受信した画像データに基づいて表示画面に画像を表示するものである。具体的には、表示部２８は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備える構成である。
【００４３】
近距離無線通信用アンテナ部２９は、電波を外部に送り出すとともに外部から電波を受け取るためのものである。例えば、近距離無線通信としてブルートゥース（登録商標）を利用する場合、近距離無線通信用アンテナ部２９は、２．４５ＧＨｚ帯の電波を送受することになる。
【００４４】
近距離無線通信部３０は、制御部２０から受信したデータを近距離無線送信に適した形式に変換し、変換した無線信号を、近距離無線通信用アンテナ部２９を介して外部に送信するとともに、外部から近距離無線通信用アンテナ部２９を介して受信した無線信号を元の形式に変換し、変換したデータを制御部２０に送信するものである。具体的には、近距離無線通信部３０では、データの変復調処理、ＲＦ処理などが行われる。
【００４５】
カレンダクロック３１は、現在の日時を計測するものであり、測定した現在の日時を示す日時情報を制御部２０に送信する。なお、カレンダクロック３１は、現在の年月も計測することが望ましい。また、カレンダクロック３１の日時は、ユーザＡが操作部２７を操作することにより設定してもよいし、タイムサーバ（図示せず）から通信網１４を介して正確な時刻情報を取得して自動的に設定してもよい。
【００４６】
次に、携帯電話機１１における制御部２０および記憶部２１の詳細について説明する。図２に示すように、制御部２０は、音声認識部（取得手段）４０、特徴語抽出部（抽出手段）４１、および興味情報作成部４２を備える構成である。また、記憶部２１は、電話帳記憶部５０を含んでいる。
【００４７】
電話帳記憶部５０は、通話相手の氏名、電話番号などが登録された電話帳データを予め記憶するものである。さらに、通話相手は、ユーザＡによって「家族」、「友人」などにグループ分けされており、上記電話帳データには、通話先が所属するグループ名が登録されている。
【００４８】
音声認識部４０は、通話時に、ユーザＡおよび通話相手の音声データを音声処理部２４から順次取得し、取得した音声データに対し音声認識を行って、テキストデータに順次変換するものである。音声認識部４０は、変換されたテキストデータを特徴語抽出部４１に順次送出する。なお、音声認識部４０は、音声処理部２４からの音声データを所定期間（例えば３分間）蓄積し、蓄積された音声データをテキストデータに一括変換してもよい。
【００４９】
特徴語抽出部４１は、音声認識部４０からのテキストデータから、該テキストデータの内容を特徴付ける特徴語を抽出するものである。特徴語抽出部４１は、抽出した特徴語を興味情報作成部４２に送出する。なお、上記特徴語としては、コンテンツを検索する場合にキーワードとなり得る語句が考えられる。
【００５０】
興味情報作成部４２は、特徴語抽出部４１からの特徴語に基づき、ユーザおよび通話相手の間で現在興味を有する情報を含む興味データを作成するものである。興味情報作成部４２は、作成した興味データを、近距離無線通信部３０および近距離無線通信用アンテナ部２９を介してコンテンツ提示装置１５に送信する。
【００５１】
具体的には、興味情報作成部４２は、直近の所定期間に抽出した特徴語のうち、頻出する特徴語を、上記興味を有する情報として選択する。例えば、興味情報作成部４２は、３分間に抽出された特徴語のうち、抽出回数（頻度）の上位３つの特徴語を選択する。
【００５２】
次に、興味情報作成部４２は、カレンダクロック３１から現在の日時を、特徴語の抽出日時として取得すると共に、電話帳記憶部５０から現在の通話相手に関する情報を、通話先情報として取得する。そして、興味情報作成部４２は、選択された特徴語と、取得された抽出日時と、取得された通話先情報とを含む興味データを作成して、コンテンツ提示装置１５に送信する。なお、興味情報作成部４２は、上記所定期間ごとに上記動作を繰り返す。
【００５３】
図３は、興味情報作成部４２が作成した興味データの一例を表形式で示す図である。図示の例では、上記通話先情報には、通話相手の氏名（ユーザＢ）、電話番号、および所属するグループ名とが含まれている。また、興味データは、３分ごとに作成されて、コンテンツ提示装置１５に送信される。
【００５４】
図４は、コンテンツ提示装置１５の概略構成を示すブロック図である。図示のように、コンテンツ提示装置１５は、制御部６０、記憶部６１、放送波受信部６２、通信部６３、操作部６４、近距離無線通信用アンテナ部６５、近距離無線通信部６６、ＡＶ復号部６７、重畳部６８、および出力部６９を備える構成である。
【００５５】
なお、コンテンツ提示装置１５の制御部６０、記憶部６１、近距離無線通信用アンテナ部６５、および近距離無線通信部６６の機能は、それぞれ、携帯電話機１１の制御部２０、記憶部２１、近距離無線通信用アンテナ部２９、および近距離無線通信部３０の機能と同様であるので、その説明を省略する。また、制御部６０および記憶部６１の詳細については後述する。
【００５６】
放送波受信部６２は、放送局１６からのコンテンツ（番組）のデジタル放送波（例えば、ＢＳデジタル放送、ＣＳデジタル放送、地上波デジタル放送）を、アンテナ部を介して受信するものである。放送波受信部６２は、受信したデジタル放送波から映像データ、音声データ、ＥＰＧ（電子番組表）などが多重化されているコンテンツのストリーム（Transport Stream：ＴＳ）を抽出して、ＡＶ復号部６７に送信する。或いは、放送波受信部６２は、上記コンテンツのストリームを、制御部６０を介して記憶部６１に記憶する。また、放送波受信部６２は、上記ストリームからＥＰＧを分離して制御部６０に送信する。
【００５７】
通信部６３は、通信網１８との通信を行うためのものである。具体的には、通信部６３は、制御部６０から受信したデータを、通信網１８での送信に適した形式に変換し、変換した信号を通信網１８に送信する。また、通信部６３は、通信網１８から受信した信号を元の形式に変換し、変換したデータを制御部６０に送信するものである。具体的には、通信部６３では、データの変復調処理などが行われる。
【００５８】
操作部６４は、コンテンツ提示装置１５に設けられた入力デバイス、または、コンテンツ提示装置１５を遠隔操作するためのリモートコントローラ（リモコン）をユーザが操作することにより、操作データを作成して制御部６０に送信するものである。上記入力デバイスの例としては、ボタンスイッチ、タッチパネルなどが挙げられる。
【００５９】
ＡＶ復号部６７は、放送波受信部６２から取得し、或いは、記憶部６１から制御部６０を介して取得したコンテンツのストリームを分離し、分離された映像データおよび音声データを復号するものである。ＡＶ復号部６７は、復号したコンテンツの映像データおよび音声データを重畳部６８に送信する。また、ＡＶ復号部６７は、放送波受信部６２から取得したコンテンツのストリームを制御部２０を介して記憶部２１に記録する。
【００６０】
重畳部６８は、ＡＶ復号部６７からのコンテンツの映像データおよび音声データに対し、制御部６０にて作成された映像データおよび音声データをそれぞれ重畳するものである。重畳部６８は、重畳した映像データおよび音声データを出力部６９に送信する。なお、制御部６０が作成する映像データとしては、録画リスト、番組表などのＯＳＤ（On Screen Display）データが挙げられる。また、制御部６０が作成する音声データとしては、速報チャイム、ボタン操作音、警報音など、内蔵の音声データが挙げられる。
【００６１】
出力部６９は、重畳部６８からの映像データおよび音声データに基づいて、映像および音声を出力するものである。出力部６９は、上述の表示素子およびドライバ回路を有する表示部と、スピーカなどを有する音声出力部とを備えている。
【００６２】
次に、コンテンツ提示装置１５における制御部６０および記憶部６１の詳細について説明する。図４に示すように、制御部６０は、ＩＰ放送取得部８０、関連情報取得部８１、コンテンツ書込部８２、コンテンツ読出部８３、コンテンツ解析部８４、興味情報取得部８５、マッチング分析部（決定手段）８６、および推奨コンテンツ特定部（通知手段）８７を備える構成である。また、記憶部６１は、コンテンツ記録部９０、関連情報記憶部９１、および興味情報記憶部９２を含んでいる。
【００６３】
コンテンツ記録部９０は、１または複数のコンテンツのストリームを記録するものである。また、関連情報記憶部９１は、視聴可能なコンテンツの関連情報を記憶するものである。また、興味情報記憶部９２は、上述の興味データを記憶するものである。
【００６４】
上記コンテンツの関連情報の例としては、当該コンテンツのタイトル（名称）、受信の種別、放送予定、簡単な説明、ジャンル、画質・音質の情報、録画時間、可能なダビング回数、録画のデータ量、などが挙げられる。なお、コンテンツの関連情報は、当該コンテンツを放送波を介して取得する場合には、ＥＰＧから取得することができ、当該コンテンツを通信網１８を介して取得する場合には、当該コンテンツに付随するタグ情報から取得することができる。
【００６５】
また、上記視聴可能なコンテンツの例としては、現在または近い将来に放送される予定のコンテンツ、コンテンツ記録部９０に記録（録画）されたコンテンツ、ＤＶＤなど、着脱可能な記録媒体から読出し可能なコンテンツ、ＶＯＤ（Video On Demand）により受信可能なコンテンツなどが挙げられる。なお、関連情報記憶部９１における上記視聴可能なコンテンツの関連情報は、所定周期（例えば１５分）で更新されることが好ましい。
【００６６】
本実施形態では、上記コンテンツの関連情報として、当該コンテンツの内容を特徴付ける特徴語が含まれている。この特徴語は、当該コンテンツに予め付与されているキーワード、再生されたコンテンツにおいて頻出する語句、などが挙げられる。
【００６７】
ＩＰ放送取得部８０は、コンテンツサーバ１７から通信網１８を介して放送されているコンテンツを、該コンテンツの関連情報と共に、通信部６３を介して取得するものである。ＩＰ放送取得部８０は、取得したコンテンツをＡＶ復号部６７およびコンテンツ書込部８２の少なくとも一方に送出すると共に、上記コンテンツの関連情報を、関連情報取得部８１に送出する。
【００６８】
関連情報取得部８１は、視聴可能な上記コンテンツの関連情報を、放送波受信部６２および／またはＩＰ放送取得部８０から取得するものである。関連情報取得部８１は、取得したコンテンツの関連情報を関連情報記憶部９１に記憶する。
【００６９】
コンテンツ書込部８２は、放送波受信部６２からのコンテンツ、或いは、ＩＰ放送取得部８０からのコンテンツをコンテンツ記録部９０に、ユーザＡから操作部６４を介しての指示により、或いは、自動的に書き込む（記録する）ものである。コンテンツ読出部８３は、ユーザＡから操作部６４介して選択されたコンテンツをコンテンツ記録部９０から読み出して、ＡＶ復号部６７に送出するものである。これにより、ユーザによって選択されたコンテンツが、ＡＶ復号部６７、重畳部６８、および出力部６９を介して外部に出力され、出力されたコンテンツをユーザが視聴することができる。
【００７０】
コンテンツ解析部８４は、放送波受信部６２および／またはＩＰ放送取得部８０から取得したコンテンツを解析して、当該コンテンツに含まれる特徴語を抽出するものである。具体的には、コンテンツ解析部８４は、まず、コンテンツの映像に含まれる文字などを画像認識したり、音声認識したりして、テキストデータを作成する。次に、コンテンツ解析部８４は、作成したテキストデータの内容を特徴付ける特徴語を抽出し、抽出した特徴語のうち、頻出する特徴語を、当該コンテンツの関連情報として関連情報記憶部９１に記憶する。なお、当該コンテンツの関連情報が関連情報取得部８１によって関連情報記憶部９１に既に記憶されている場合、コンテンツ解析部８４は、関連情報記憶部９１に記憶された当該コンテンツの関連情報に上記頻出する特徴語を追加してもよい。
【００７１】
図５は、関連情報記憶部９１に記憶される関連情報の一例を表形式で示す図である。図示の例では、上記関連情報には、受信の種別、タイトル、特徴語、その他の関連情報が含まれている。なお、上記関連情報は、上記種別ごとに別ファイルとしてもよい。
【００７２】
興味情報取得部８５は、ユーザＡの携帯電話機１１からの興味データを近距離無線通信用アンテナ部６５および近距離無線通信部６６を介して取得するものである。興味情報取得部８５は、取得した興味データを興味情報記憶部９２に記憶する。これにより、興味情報記憶部９２には、図３に示すような興味データが順次蓄積されることになる。
【００７３】
マッチング分析部８６は、興味情報記憶部９２からの興味データと、関連情報記憶部９１に記憶された関連情報とを用いて、上記興味データに含まれる特徴語と、上記関連情報に含まれる特徴語とを照合するものである。マッチング分析部８６は、照合の結果、一致度の高いコンテンツのリストを一致度の順に作成して、推奨コンテンツ特定部８７に送出する。
【００７４】
図６は、マッチング分析部８６が作成した、一致度の高いコンテンツのリストの一例を表形式で示す図である。図示の例では、当該リストは、図５に示す関連情報に、一致度の順番と、通話相手のＩＤ（氏名）とを追加したものとなっている。
【００７５】
図５に示すコンテンツＢ２は、図３に示す１番目および２番目の興味データと、特徴語「ミュージカル」が一致しており、さらに、２番目の興味データと、特徴語「劇団」が一致している。また、図５に示すコンテンツＲ１は、２番目の興味データと、特徴語「劇団」が一致している。そこで、図６の例では、コンテンツＢ２・Ｒ１が、一致度の高いコンテンツとして、コンテンツＢ２・Ｒ１の順でリストに挙げられている。
【００７６】
推奨コンテンツ特定部８７は、マッチング分析部８６からのリストに基づき、ユーザＡに推奨する推奨コンテンツを特定するものである。推奨コンテンツ特定部８７は、特定した推奨コンテンツに関する情報を出力するように、重畳部６８に送出する。
【００７７】
推奨コンテンツ特定部８７の具体的な動作について説明する。推奨コンテンツ特定部８７は、図６に示すリストを取得したとする。このとき、現在視聴中コンテンツが一致度Ｎｏ．１のコンテンツＢ２である場合、出力部６９の表示画面に「このコンテンツをユーザＢにお薦め」、「このコンテンツをユーザＢと共同視聴？→チャット／テレビ電話」などのメッセージを表示する。
【００７８】
一方、現在視聴中コンテンツがコンテンツＢ２以外である場合、出力部６９の表示画面に、例えば「コンテンツＢ２放映中！（＋コンテンツ情報）」などのように、コンテンツＢ２のコンテンツ情報を重畳して表示する。なお、上記リストを受け取らなかった場合、推奨コンテンツ特定部８７は、特に何も送出しない。これにより、現在視聴中のコンテンツが出力部６９の表示画面にそのまま表示されることになる。
【００７９】
上記構成の推奨コンテンツ通知システム１０における処理動作について、図７を参照して説明する。図７は、推奨コンテンツ通知システム１０における携帯電話機１１およびコンテンツ提示装置１５の処理の流れを示すフローチャートである。
【００８０】
図７に示すように、コンテンツ提示装置１５では、視聴可能なコンテンツの内容を特徴付ける特徴語を含むコンテンツの関連情報を、関連情報取得部８１およびコンテンツ解析部８４が取得して関連情報記憶部９１に記憶する（Ｓ２０）。
【００８１】
具体的には、関連情報取得部８１は、上記コンテンツが放送波を介して放送される場合、放送波受信部６２が受信したＥＰＧから、上記コンテンツの関連情報を取得する。一方、関連情報取得部８１は、上記コンテンツが通信網１８を介して放送される場合、ＩＰ放送取得部８０が取得したコンテンツに付随するタグ情報から、上記コンテンツの関連情報を取得する。また、コンテンツ解析部８４は、放送波受信部６２またはＩＰ放送取得部８０から取得したコンテンツを解析して、頻出する特徴語を当該コンテンツの関連情報として取得する。
【００８２】
一方、携帯電話機１１では、音声処理部２４から取得したユーザＡおよび通話相手の音声データに対し、音声認識部４０が音声認識を行ってテキストデータに変換する（Ｓ１０、取得ステップ）。次に、変換されたテキストデータの内容を特徴付ける特徴語を特徴語抽出部４１が抽出し（Ｓ１１、抽出ステップ）、これらのステップＳ１０・Ｓ１１を、所定期間が経過するまで繰り返す（Ｓ１２）。
【００８３】
上記所定期間が経過すると、興味情報作成部４２は、直近の上記所定期間に抽出した特徴語のうち、頻出する特徴語を、ユーザおよび通話相手の間で興味を有する情報であるとして、当該特徴語を含む興味データを作成して、コンテンツ提示装置１５に送信する（Ｓ１３）。その後、ステップＳ１０に戻って、上述の動作を繰り返す。
【００８４】
一方、コンテンツ提示装置１５では、携帯電話機１１からの興味データを興味情報取得部８５が受信して興味情報記憶部９２に記憶するまで、ステップＳ２０を繰り返す（Ｓ２１）。上記興味データを受信すると、マッチング分析部８６は、興味情報記憶部９２における興味データに含まれる特徴語と、関連情報記憶部９１におけるコンテンツの関連情報に含まれる特徴語とを照合する（Ｓ２２、決定ステップ）。そして、該照合の結果に基づき、推奨コンテンツ特定部８７は、推奨コンテンツを特定して、ユーザＡに提示する（Ｓ２３、通知ステップ）。その後、ステップＳ２０に戻って、上述の動作を繰り返す。
【００８５】
なお、本実施形態では、マッチング分析部８６は、上記コンテンツの関連情報の特徴語と、上記興味データの特徴語とを比較照合して、一致する語数を算出しているが、これに限定されるものではない。例えば、図３に示す１番目の興味データには、特徴語として「週末」という時間を表す語が含まれている。そこで、マッチング分析部８６は、１番目の興味データの抽出日時（2012/05/01）から最初の週末に該当する日（2012/05/04〜2012/05/06）を求め、求めた日と、図５に示す関連情報に含まれる放映時刻との比較照合をさらに行ってもよい。このように、上記コンテンツの特徴語以外の関連情報と、上記興味データの特徴語とを比較照合してもよい。
【００８６】
また、本実施形態では、ユーザＡにのみ推奨コンテンツを通知しているが、ユーザＡおよびユーザＢの両方に推奨コンテンツを通知してもよい。これは、ユーザＢの携帯電話機１２を、ユーザＡの携帯電話機１１と同様のものに変更し、ユーザＢにコンテンツ提示装置１５を追加することにより実現できる。
【００８７】
なお、ユーザＡとユーザＢとの間で、視聴可能なコンテンツが異なることにより、推奨コンテンツが異なる場合が考えられる。そこで、通信網１８に通信可能なように接続されたサーバを追加し、該サーバにおいて、図６に示す推奨コンテンツのリストをユーザＡおよびユーザＢのコンテンツ提示装置１５から受信し、受信した２つのリストの相違点に基づいて、コンテンツ提示装置１５に通知してもよい。
【００８８】
これにより、例えば、ユーザＡのみ視聴可能なローカル放送のコンテンツが推奨コンテンツである場合、その旨をユーザＢのコンテンツ提示装置１５に提示することができる。その結果、例えば、ユーザＢはユーザＡに当該コンテンツを録画するように依頼することができる。また、ユーザＢのみが加入している有料放送のコンテンツが推奨コンテンツである場合、ユーザＡのコンテンツ提示装置１５において、上記有料放送への加入を推奨する旨を提示することができる。
【００８９】
また、コンテンツ提示装置１５が推奨コンテンツをユーザＡに提示した後の処理としては、種々の処理が考えられる。例えば、提示された推奨コンテンツの何れかを、ユーザＡが操作部６４を介して選択すると、コンテンツ提示装置１５は、図６に示すリストのうち、選択された推奨コンテンツに関する情報をユーザＡの携帯電話機１１に送信する。ユーザＡの携帯電話機１１は、コンテンツ提示装置１５から受信した情報に含まれる相手ＩＤであるユーザＢを特定し、特定したユーザＢの携帯電話機１２との間でテレビ会議を開始し、上記選択された推奨コンテンツを共同で視聴することもできる。
【００９０】
また、本実施形態では、最近の興味データを利用しているが、過去の興味データを利用してもよい。この場合、同じ通話相手に関する最近および過去の興味データを参照することにより、マッチング分析部８６の照合において、一致する特徴語が見つからない可能性を減らすことができる。
【００９１】
また、コンテンツ解析部８４は、電子掲示板のサイト、ブログのサイト、チャットのサイトなどのサーバから、コンテンツに対応付けが可能な情報を取得し、取得した情報から頻出の特徴語を抽出し、抽出した特徴語を、当該コンテンツの関連情報に追加して関連情報記憶部９１に記憶してもよい。
【００９２】
〔実施の形態２〕
次に、本発明の別の実施形態について、図８・図９を参照して説明する。図８は、本実施形態における推奨コンテンツ通知システムの概略構成を示すブロック図である。図１〜図７に示す推奨コンテンツ通知システム１０では、ユーザＡの携帯電話機１１と通話相手（ユーザＢ）の携帯電話機１１との電話の内容に基づいて、コンテンツ提示装置１５が推奨コンテンツを決定してユーザＡに通知している。これに対し、本実施形態の推奨コンテンツ通知システム１００では、ユーザＡが利用する通信端末（ユーザの通信装置）１０１にて送受信されるテキストデータの内容に基づいて、コンテンツ提示装置１０２が推奨コンテンツを決定してユーザＡに通知している。
【００９３】
図８に示すように、本実施形態の推奨コンテンツ通知システム１００は、図１に示す推奨コンテンツ通知システム１０に比べて、下記の構成が異なり、その他の構成は同様である。すなわち、携帯電話機１１およびコンテンツ提示装置１５の代わりに、通信端末１０１およびコンテンツ提示装置１０２が設けられ、コンテンツ提示装置１０２と通信網１８との間に、ＬＡＮ１０３およびゲートウェイ１０４が追加されている。また、通信網１８に通信可能なように接続されたコミュニケーション用サーバ（他の通信装置）１０５および閲覧用サーバ（他の通信装置）１０６が追加されている。なお、上記実施形態で説明した構成と同様の機能を有する構成には同一の符号を付して、その説明を省略する。
【００９４】
本実施形態の推奨コンテンツ通知システム１００では、ユーザＡの通信端末１０１は、コミュニケーション用サーバ１０５との間で送受信するテキストデータと、閲覧用サーバ１０６から受信するテキストデータとの少なくとも一方から、該テキストデータの内容を特徴付ける特徴語を抽出している。一方、コンテンツ提示装置１０２は、抽出された特徴語に適合するコンテンツを決定し、推奨コンテンツとしてユーザＡに通知している。
【００９５】
次に、推奨コンテンツ通知システム１０における各構成について説明する。なお、ＬＡＮ１０３およびゲートウェイ１０４は、周知であるので、その説明を省略する。
【００９６】
通信端末１０１は、ＬＡＮ１０３を介してコンテンツ提示装置１０２と通信を行うと共に、ＬＡＮ１０３、ゲートウェイ１０４、および通信網１８を介して、コミュニケーション用サーバ１０５および閲覧用サーバ１０６と通信を行うものである。通信端末１０１の例としては、ＰＣ（Personal Computer）、携帯電話機、ＰＤＡ（Personal Digital Assistant）などが挙げられる。
【００９７】
コンテンツ提示装置１０２は、図４に示すコンテンツ提示装置１５に比べて、近距離無線通信用アンテナ部６５および近距離無線通信部６６が省略され、興味情報取得部８５が通信部６３に接続される点が異なり、その他の構成は同様である。これにより、興味情報取得部８５は、通信端末１０１からの興味データをＬＡＮ１０３および通信部６３を介して取得することになる。
【００９８】
コミュニケーション用サーバ１０５は、通信ネットワークシステムを用いて、人同士がコミュニケーションを行うためのサーバであり、例えば、電子メールサーバ、電子掲示板のサイト、ブログのサイト、チャットのサイト、などが挙げられる。
【００９９】
閲覧用サーバ１０６は、例えばＷＷＷ（World Wide Web）サーバのように、ユーザＡが各種の情報を閲覧するためのサーバである。なお、コミュニケーション用サーバ１０５および閲覧用サーバ１０６は、通常のコンピュータと同様の構成である。
【０１００】
次に、ユーザＡの通信端末１０１の詳細について説明する。図９は、ユーザＡの通信端末１０１の概略構成を示すブロック図である。図示の通信端末１０１は、図２に示す携帯電話機１１に比べて、下記の構成が異なり、その他の構成は同様である。
【０１０１】
すなわち、携帯電話網通信用アンテナ部２２、携帯電話網通信部２３、音声処理部２４、および音声入力部２５が省略され、近距離無線通信用アンテナ部２９および近距離無線通信部３０に代えて、ＬＡＮ１０３と通信を行うための通信部１１０が設けられている。また、制御部２０では、音声認識部４０に代えてテキスト取得部（取得手段）１１１が設けられており、記憶部２１では、電話帳記憶部５０に代えて相手情報記憶部１１２が設けられている。なお、通信部１１０の機能は、図４に示す通信部６３の機能と同様であるため、その説明を省略する。
【０１０２】
相手情報記憶部１１２は、コミュニケーションを行う相手に関する相手情報を予め記憶するものである。例えば、上記コミュニケーションが１対１である場合、通信相手の名称が上記相手情報として記憶される。一方、上記コミュニケーションが１対多である場合、グループ名が上記相手情報として記憶される。なお、上記グループ名と共に、該グループに所属するユーザ名が、上記相手情報として記憶されてもよい。
【０１０３】
テキスト取得部１１１は、通信網１８から通信部１１０を介してテキストデータを取得するものである。テキスト取得部１１１は、取得したテキストデータを特徴語抽出部４１に送出する。
【０１０４】
具体的には、通信端末１０１がコミュニケーション用サーバ１０５にアクセスする場合、テキスト取得部１１１は、コミュニケーション用サーバ１０５に送信するためにユーザＡが作成したテキストデータを取得する。また、テキスト取得部１１１は、その他のユーザが作成してコミュニケーション用サーバ１０５に送信したテキストデータを、コミュニケーション用サーバ１０５から通信網１８および通信部１１０を介して取得する。なお、上記テキストデータとしては、電子メール用、電子掲示板用、ブログ用、チャット用などのテキストデータが挙げられる。
【０１０５】
また、通信端末１０１が閲覧用サーバ１０６にアクセスしてＨＴＭＬ（HyperText Markup Language）形式のウェブページを閲覧する場合、テキスト取得部１１１は、閲覧用サーバ１０６から通信網１８および通信部１１０を介して取得したウェブページの記述情報（例えば、上記ウェブページに記載のテキスト、上記ウェブページに付加されたキーワードなど）からテキストデータを抽出する。
【０１０６】
本実施形態では、興味情報作成部４２は、直近の所定期間に頻出する特徴語と、カレンダクロック３１から取得された抽出日時と、相手情報記憶部１１２から読み出された相手情報とを含む興味データを作成して、コンテンツ提示装置１５に送信することになる。ここで、上記コミュニケーションが１対多である場合、上記相手情報として、グループ名と共に、発言者のユーザ名を含むこともできる。また、閲覧用サーバ１０６からウェブページを取得した場合、上記相手情報として、閲覧用サーバ１０６のＵＲＬ（Uniform Resource Locator）、上記ウェブページの作成者などを含めればよい。
【０１０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０８】
例えば、上記実施形態では、コンテンツ提示装置１５の出力部６９は、映像および音声を出力しているが、外部のＴＶ受像機に映像データおよび音声データを出力する構成であってもよい。この場合、出力部６９は、表示部および音声出力部を省略することができる。
【０１０９】
また、コンテンツ提示装置１５は、ユーザＡからカメラ（検知手段）、マイク（検知手段）などを介して取得した情報に基づき、ユーザＡの現在の状態を検知したり、携帯電話機１１における通信先の情報、利用中のアプリケーションの情報などを携帯電話機１１から取得し、取得した情報に基づき、ユーザＡの現在の状態を検知したりしてもよい。この場合、コンテンツ提示装置１５は、検知したユーザＡの現在の状態に基づいて、適切な動作を行うことができる。
【０１１０】
図１０は、ユーザＡの現在の状態と、該状態に対する結果動作との対応関係の一例を表形式で示す図である。コンテンツ提示装置１５は、図１０に示す対応関係に基づいて、検知したユーザＡの現在の状態に対応する動作を決定して実行すればよい。
【０１１１】
図１０の例では、テレビ装置（コンテンツ提示装置１５）の電源をユーザがオンにした場合において、ユーザが直前の一定時間（所定期間）内に他の活動を行っていないとき、視聴スタイルとコンテンツとのセットをコンテンツ提示装置１５が複数個推奨（レコメンド）することになる。一方、ユーザが上記他の活動を行っているとき、直前の当該活動に応じた視聴スタイルとコンテンツとのセットをコンテンツ提示装置１５が推奨することになる。
【０１１２】
また、放送局１６から放送されたコンテンツをユーザが視聴している場合において、ユーザがナガラ見（視聴と他の活動との同時実行）を行っており、かつ、携帯電話機１１およびコンテンツ提示装置１５の他の装置が稼働していないとき、コンテンツ提示装置１５は、ソーシャル（共同）視聴を推奨すると共に、当該ソーシャル視聴を行うコミュニティを推奨することになる。一方、ユーザが上記ナガラ見を行っており、かつ、上記他の装置が稼働しているとき、コンテンツ提示装置１５は、当該他の装置の活用などによるソーシャル視聴を推奨すると共に、当該ソーシャル視聴のためのコンテンツを推奨することになる。
【０１１３】
一方、ユーザが上記ナガラ見を行わずに上記視聴に集中および熱中しているとき、コンテンツ提示装置１５は、他の携帯電話機１２からのソーシャル視聴のお誘い（要求）を待ち受け、当該お誘いを受信すると、当該ソーシャル視聴を控えめに推奨することになる。なお、上記ナガラ見を行っているか、或いは上記視聴に集中しているかは、カメラにより検出したユーザ視線およびまばたき回数、マイクにより検出したユーザの発言などにより、判断することができる。
【０１１４】
また、ユーザが携帯電話機（携帯端末）１１にて通話している場合において、ユーザが１対１で通話していると、コンテンツ提示装置１５は、当該通話などを行いながらのソーシャル視聴を推奨すると共に、当該ソーシャル視聴のためのコンテンツを推奨することになる。一方、ユーザが電話会議などによりグループで通話しているとき、コンテンツ提示装置１５は、ソーシャル視聴を推奨するとともに、当該ソーシャル視聴のためのコンテンツを推奨することになる。なお、携帯電話機１１にて通話中であるか否かは、アクセス先、回線使用状況などで判断することができる。
【０１１５】
また、ユーザが通信端末（ネット端末）１０１を操作している場合において、ユーザが１対１でメール、チャットなどを行っているとき、コンテンツ提示装置１０２は、当該１対１での会話を行いながらコンテンツを視聴することを推奨する共に、そのためのコンテンツを推奨することになる。一方、ユーザがプライベートコミュニティにてチャットを行っているとき、コンテンツ提示装置１０２は、当該チャットを行いながらコンテンツを視聴することを推奨する共に、そのためのコンテンツを推奨することになる。
【０１１６】
一方、ユーザがパブリックコミュニティに対し情報を発信しているとき、コンテンツ提示装置１０２は、推奨するコンテンツを上記パブリックコミュニティへ発信（紹介）して、ソーシャル視聴を推奨することになる。なお、上記推奨するコンテンツは、既に視聴しているコンテンツであってもよい。一方、ユーザがパブリックコミュニティから情報を取得するのみである、いわゆるＲＯＭ（Read Only Member）であるとき、コンテンツ提示装置１０２は、当該情報を表示しながらコンテンツを視聴することを推奨することになる。なお、ユーザが通信端末１０１を操作しているか否かは、利用中のアプリケーションの種類、通信端末１０１内の登録情報、入出力状況などから判断することができる。
【０１１７】
最後に、推奨コンテンツ通知システム１０の各ブロック、特に携帯電話機１１の制御部２０およびコンテンツ提示装置１５の制御部６０は、ハードウェアロジックによって構成してもよいし、次のようにＣＰＵを用いてソフトウェアによって実現してもよい。
【０１１８】
すなわち、推奨コンテンツ通知システム１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである推奨コンテンツ通知システム１０の制御プログラムのプログラムコード（実行形式プログラム、中間コードプログラム、ソースプログラム）をコンピュータで読み取り可能に記録した記録媒体を、上記推奨コンテンツ通知システム１０に供給し、そのコンピュータ（またはＣＰＵやＭＰＵ）が記録媒体に記録されているプログラムコードを読み出し実行することによっても、達成可能である。
【０１１９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０１２０】
また、推奨コンテンツ通知システム１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【０１２１】
以上のように、直近の所定期間にユーザの通信装置と他の通信装置との間でやりとりされた情報の内容から、該内容を特徴付ける特徴語が抽出され、抽出された特徴語に適合するコンテンツが決定されて、ユーザに通知されることにより、上記ユーザが現在所望しそうなコンテンツを推奨できるので、テレビジョン放送された番組以外にも、インターネット上で放送されたコンテンツなど、種々の手段で取得可能な任意のコンテンツに対し、本発明を適用することができる。
【符号の説明】
【０１２２】
１０・１００  推奨コンテンツ通知システム
１１  携帯電話機（ユーザの通信装置）
１２  携帯電話機（他の通信装置）
１３  基地局
１４・１８  通信網
１５・１０２  コンテンツ提示装置
１６  放送局
１７  コンテンツサーバ
２０・６０  制御部
２１・６１  記憶部
２２  携帯電話網通信用アンテナ部
２３  携帯電話網通信部
２４  音声処理部
２５  音声入力部
２６  音声出力部
２７・６４  操作部
２８  表示部
２９・６５  近距離無線通信用アンテナ部
３０・６６  近距離無線通信部
３１  カレンダクロック
４０  音声認識部（取得手段）
４１  特徴語抽出部（抽出手段）
４２  興味情報作成部
５０  電話帳記憶部
６２  放送波受信部
６３  通信部
６７  ＡＶ復号部
６８  重畳部
６９  出力部
８０  ＩＰ放送取得部
８１  関連情報取得部
８２  コンテンツ書込部
８３  コンテンツ読出部
８４  コンテンツ解析部
８５  興味情報取得部
８６  マッチング分析部（決定手段）
８７  推奨コンテンツ特定部（通知手段）
９０  コンテンツ記録部
９１  関連情報記憶部
９２  興味情報記憶部
１０１  通信端末（ユーザの通信装置）
１０３  ＬＡＮ
１０４  ゲートウェイ
１０５  コミュニケーション用サーバ（他の通信装置）
１０６  閲覧用サーバ（他の通信装置）
１１０  通信部
１１１  テキスト取得部（取得手段）
１１２  相手情報記憶部
【図１】
2014006669.tif 000003
【図２】
2014006669.tif 000004
【図３】
2014006669.tif 000005
【図４】
2014006669.tif 000006
【図５】
2014006669.tif 000007
【図６】
2014006669.tif 000008
【図７】
2014006669.tif 000009
【図８】
2014006669.tif 000010
【図９】
2014006669.tif 000011
【図１０】
2014006669.tif 000012